(57)【特許請求の範囲】
【請求項１】
無線通信手段と、制御手段とを備えるとともに、携帯情報端末が保持する曲目リストに基づいて次に演奏すべき曲目を決定して演奏するカラオケ装置であって、
無線通信手段は、カラオケ利用現場に存在するパーソナル携帯情報端末と交信可能であり、
制御手段は、メンバー登録処理と、演奏履歴作成処理と、演奏曲選定処理を可能とし、
メンバー登録処理は、交信したパーソナル携帯情報端末の端末ＩＤをポーリング順番テーブルに登録し、
演奏履歴作成処理は、演奏された曲目を演奏履歴簿に順次記録し、
演奏曲選定処理は、次に演奏すべき曲目を決定するため第１処理、第２処理を行い、
第１処理は、ポーリング順番テーブルおいて次に通信する端末ＩＤを認知し、その端末ＩＤのパーソナル携帯情報端末に接続要求を送信し、
第２処理は、接続要求に応答したパーソナル携帯情報端末から曲目リストを受信し、その中から演奏履歴簿に記録されていない曲目を選出して、次に演奏すべき曲目として決定するとともに、ポーリング順番テーブルにおける次に通信すべき端末ＩＤの指定を歩進させる
カラオケ装置。
【請求項２】
演奏履歴作成処理は、演奏履歴簿の記録曲数が規定曲数に達した場合、古い曲目から順番に削除して新たな曲目を記録する
請求項１に記載のカラオケ装置。
【請求項３】
演奏履歴作成処理は、記録した時点から規定期間を経過した曲目を削除する
請求項１または２に記載のカラオケ装置。
【発明の詳細な説明】
【０００１】
【発明が属する技術分野】
この発明は、複数の人が一緒にカラオケを楽しむ場面に合わせたカラオケ選曲システムに関し、とくに、各人が所持する携帯電話機などのパーソナル携帯情報端末を選曲予約ツールとして利用するカラオケ選曲システムに関する。
【０００２】
【従来の技術】
一般には、複数の人が一緒にカラオケを楽しむことが多い。カラオケ装置のリモコン送信器を操作し、各人が歌おうとする楽曲の番号を入力する。入力された楽曲番号は、カラオケ装置の演奏予約の待ち行列に順番に登録される。カラオケ装置は、待ち行列に登録された順番に従って予約楽曲を演奏する。
【０００３】
【発明が解決しようとする課題】
カラオケボックスのような店舗で複数人のグループでカラオケを一緒に楽しむ場合、各人にとってちょうどいい具合に歌う機会が割り振られる状況が望ましいが、そのような状況にならないことは多い。参加者が互いに遠慮していると、本当は歌いたい人がいるのに、なかなか予約が入らず空白の時間を生じることがある。反対に、特定の人がたくさんの曲を予約してしまい、他の人になかなか順番がまわってこないこともよく経験する。はやりの曲などで複数の人の歌いたい曲がかち合うことも多いが、参加者の間でこれにどのように折り合いをつけるのかは、結構面倒なことである。
【０００４】
この発明では、ＪＡＶＡアプレット実行機能やブルートゥース通信機能などを搭載した高機能な携帯電話機が急速に普及していることに着目した。一般の人々が個人で所持することの多いこの種のパーソナル携帯情報端末をカラオケ装置の選曲予約ツールとして利用し、複数の人が一般にカラオケを楽しむ場合に、各人の歌いたい曲をできるだけ機会均等に演奏できるようにする。そのようなカラオケ選曲システムを実現することが、本発明の目的である。
【０００５】
【課題を解決するための手段】
この発明に係るカラオケ装置は、以下の事項（１）〜（８）により特定されるものである。
（１）無線通信手段と、制御手段とを備えるとともに、携帯情報端末が保持する曲目リストに基づいて次に演奏すべき曲目を決定して演奏するカラオケ装置である。
（２）無線通信手段は、カラオケ利用現場に存在するパーソナル携帯情報端末と交信可能である。
（３）制御手段は、メンバー登録処理と、演奏履歴作成処理と、演奏曲選定処理を可能とする。
（４）メンバー登録処理は、交信したパーソナル携帯情報端末の端末ＩＤをポーリング順番テーブルに登録する。
（５）演奏履歴作成処理は、演奏された曲目を演奏履歴簿に順次記録する。
（６）演奏曲選定処理は、次に演奏すべき曲目を決定するため第１処理および第２処理を行う。
（７）第１処理は、ポーリング順番テーブルおいて次に通信する端末ＩＤを認知し、その端末ＩＤのパーソナル携帯情報端末に接続要求を送信する。
（８）第２処理は、接続要求に応答したパーソナル携帯情報端末から曲目リストを受信し、その中から演奏履歴簿に記録されていない曲目を選出して、次に演奏すべき曲目として決定するとともに、ポーリング順番テーブルにおける次に通信すべき端末ＩＤの指定を歩進させる。
【０００６】
上記のように構成されたカラオケ装置において、演奏履歴作成処理は、演奏履歴簿の記録曲数が規定曲数に達した場合、古い曲目から順番に削除して新たな曲目を記録する構成としたり、演奏履歴作成処理は、記録した時点から規定期間を経過した曲目を削除する構成を採用することができる。
【０００９】
【発明の実施の形態】
＝＝＝システムの概要＝＝＝
この発明の一実施例にかかるカラオケ選曲システムは、カラオケ店の客室内に設置されているカラオケ装置とこの客室にてカラオケを楽しむ複数の人がそれぞれに所持している携帯電話機とによって成り立つものである。携帯電話機はＪＡＶＡアプレット実行機能やブルートゥース通信機能などを搭載した多機能なパーソナル携帯情報端末である。カラオケ装置はこれらの携帯電話機のブルートゥース通信機能を利用してインタラクティブなデータ通信を行うためのブルートゥース通信手段を備えている。携帯電話機をこのシステムの選曲ツールとして利用するのに必要なプログラムは、ブルートゥース経由でカラオケ装置から入手する。
【００１０】
携帯電話機の不揮発性メモリには、この電話機を所持する人が歌いたい曲をリストにしたもの（以下、予約曲目リストとよぶ）が格納されている。この予約曲目リストには優先度の序列が設定されている。
【００１１】
カラオケ装置は、ブルートゥース通信により客室内に存在する通信可能な携帯電話機を適時にサーチし、それらの携帯電話機の識別子（以下、端末ＩＤ）を来店メンバーとして登録する。これらのメンバー表には、これら携帯電話機を呼び出す順番（以下、ポーリング順番）が設定されている。
【００１２】
カラオケ演奏をはじめようとするカラオケ装置は、ポーリング順番にしたがってメンバーの携帯電話機の一つにアクセスし、その携帯電話機の保持する予約曲目リストから演奏候補曲を選択する。カラオケ装置がこれまでに演奏した曲の記録（演奏履歴簿）にこの候補曲が掲載されていなければこれを演奏するが、演奏履歴簿に残っていれば再度同じ曲目リストから演奏候補曲を選択し直す。このようにして各メンバーに均等に曲目が重複することなく歌う機会がおとずれる。
【００１３】
＝＝＝カラオケ装置の基本機能＝＝＝
図１はこの発明の実施例におけるカラオケ装置の構成例を示している。カラオケ装置はパソコン相当のコンピュータ応用機器であって、内部にＣＰＵ・ＲＡＭ・ＲＯＭを含んだ中央制御部１が制御バスを介して各周辺構成部を制御・統括している。ハードディスク装置２にはカラオケ楽曲の伴奏音楽データや歌詞データを含むカラオケデータが多数曲分蓄積されている。中央制御部１は演奏予約する楽曲が決定するとその楽曲のカラオケデータをハードディスク装置２から取り出し、含まれているカラオケ伴奏音楽データをシンセサイザ４に転送してカラオケ伴奏音楽を生成させる。生成されたカラオケ伴奏音楽と、マイクロホン５により採取した歌唱音声とをミキシングアンプ６にて混合しスピーカ７から音響出力する。ディスプレイ８には、映像制御部９を介して入力された背景映像とともに、歌唱すべき箇所の色変えをともなった歌詞画像が表示される。
【００１４】
このカラオケ装置にはまた、本発明に特徴的な構成要素であるブルートゥース・インタフェース１０を備える。これはＲＦ回路およびベースバンド回路を備えて構成される。ブルートゥース・インタフェース１０のＲＦ回路に接続する送受信アンテナ１１は、カラオケ店のカラオケルーム内に設置される。これにより、送受信アンテナ１１の周囲にブルートゥース・インタフェース１０と通信リンクの確立が可能な所定範囲のサービスエリアが形成される。
【００１５】
＝＝＝予約曲目リストの作成＝＝＝
本実施例における携帯電話機は、利用者がカラオケで歌いたい楽曲をあらかじめ登録しておくプリセット機能を備えている。携帯電話機上で動作するアプリケーションプログラム（カラオケ利用プログラム）が存在しない場合には、ブルートゥース・インタフェース経由でカラオケ装置からプログラムをダウンロードして入手する。
【００１６】
カラオケ利用プログラムによって携帯電話機の表示部に適宜な予約楽曲リスト作成・更新用の画面が表示されると、利用者は自分の携帯電話機に所定の操作により目次本などから調べた楽曲ＩＤを歌いたい順番（優先順位）を指定して入力する。携帯電話機のメモリ上には優先順位と対応づけられてその楽曲ＩＤが記憶された予約曲目リストが作成される。もちろん、曲目追加や削除をすることも可能である。このリストは不揮発性のメモリに記憶されており、カラオケを止めてカラオケ店を出たり携帯電話機の電源を切ったりしても記憶保持される。
【００１７】
本実施例の携帯電話機ではまた、カラオケに参加する場合に予約曲目リストを開示するか否かを利用者が設定する機能も備えている。たとえばその場にはいるがとりあえず歌唱には参加したくない場合などには便利である。すなわち「非開示」に設定しておけば、後述の選曲処理においてポーリング順番からはずされる。「非開示」から「開示」に設定を変更すれば、参加の意思表示とみなされすぐに参加することが可能となる。
【００１８】
なお、予約曲目リストはカラオケ利用前に登録しておくのが効率面で望ましいが、いつでも追加・変更は可能である。たとえばカラオケで他人が歌唱中であってもよい。今日は歌いたくない曲が登録されている場合にはその場で削除すれば演奏されることはないし、まだ誰も歌っておらず誰の予約曲目リストにもない曲を優先順位１番で自分の予約曲目リストに追加登録すれば、次に自分が歌う番には必ずその曲を歌うことができる。
【００１９】
＝＝＝メンバー登録＝＝＝
カラオケ装置はブルートゥース・インタフェース１０経由で前述のサービスエリア内に所定の間隔で接続要求メッセージ（Ｉｎｑｕｉｒｙ）を送信し、サービスエリア内に受信待機状態（Ｓｔａｎｄｂｙ）で待機中の携帯電話機の存在を探索している。サービスエリア内に受信待機状態（Ｓｔａｎｄｂｙ）の携帯電話機が持ち込まれると、カラオケ装置と携帯電話機との間でブルートゥース・プロトコルにしたがって通信リンクを確立し、カラオケ利用プログラムの起動命令を記載したデータパケットを携帯電話機に送信する。
【００２０】
これを受け取ってカラオケ利用プログラムを起動した携帯電話機は、メモリに記憶されている端末ＩＤを記載したデータパケットをブルートゥース経由でカラオケ装置に送信し、受信待機状態（Ｓｔａｎｄｂｙ）に戻る。その場にある複数の携帯電話機から端末ＩＤを受け取ったカラオケ装置は、これらをたとえば通信リンクを確立して端末ＩＤを受け取った順番で記憶しポーリング順番テーブルを作成する。
【００２１】
カラオケ装置は適宜な間隔で、たとえば後述の選曲処理を行う際に携帯電話機の存在を確認し、演奏順番テーブルに記憶されている携帯電話機の存在が確認できなかった場合にはその不在回数をカウントしておき、所定の回数以上不在が続くとその端末ＩＤをポーリング順番テーブルから削除するようにしておく。またポーリング順番テーブルに記憶されていない新たな携帯電話機の存在が確認された場合には、その端末ＩＤをポーリング順番テーブルの最後尾に記憶する。
【００２２】
＝＝＝携帯電話機へのアクセスと選曲処理＝＝＝
カラオケ装置は、たとえばある楽曲Ａの演奏を開始したときに、その次に演奏する予定の楽曲Ｂを決定する。カラオケ装置のディスプレイ８に楽曲Ａの演奏終了前に次曲を表示することができたり、一旦次曲に決定した曲を利用者がキャンセルした場合に別の曲を選択し直したりする時間の余裕があるなど便利である。
【００２３】
現演奏曲Ａの次に演奏するカラオケ楽曲Ｂを決定しようとするカラオケ装置は、ポーリング順番テーブルに記憶された順番に従って一つずつ端末ＩＤを取り出し、その端末ＩＤによって特定される携帯電話機に接続要求メッセージ（Ｉｎｑｕｉｒｙ）を送信する（図２のステップ１０２）。この端末ＩＤをもつ携帯電話機はカラオケ装置とブルートゥース・インタフェース間で通信リンクが確立されると、予約曲目リストが「開示」に設定されている場合には自機のメモリに記憶されている予約曲目リストの内容を記載したデータパケットをカラオケ装置に返送する（ステップ１０３、１０４）。
【００２４】
なお、予約曲目リストが「非開示」に設定されている場合にはその旨を記載したデータパケットを返送し、これを受け取ったカラオケ装置はポーリング順番テーブルの次の端末ＩＤを取り出して同様の処理を行う。（ステップ１０３）。
【００２５】
携帯電話機から予約曲目リストを受信したカラオケ装置は、受信したリストのうち現演奏曲Ａを除いて入力順が最も早い楽曲ＩＤを取り出し、メモリ上の演奏履歴簿に記載されているか否かを検索する（ステップ１０６）。まず、取り出された楽曲ＩＤが演奏履歴簿に記載されていなければ、この楽曲ＩＤに対応する楽曲の演奏処理を行うとともに、その楽曲ＩＤを演奏履歴簿に書き込む（ステップ１０９）。取り出された楽曲ＩＤが演奏履歴簿にすでに記載されていれば、受信した予約曲目リストのうち入力順が次の楽曲ＩＤを取り出して（ステップ１０７）演奏履歴簿に記載されているか否かを検索する（ステップ１０６）。この手順を演奏履歴簿に記載がない楽曲ＩＤが選択されるまで繰り返し、その結果選択された楽曲ＩＤの演奏処理を行い、演奏履歴簿に追加する（ステップ１０９）。
【００２６】
上記のようにして１つの端末ＩＤについて１つ楽曲ＩＤを取り出して演奏処理をして演奏履歴簿に記載すると、ポーリング順番テーブルの次の端末ＩＤについて、同様の処理を行う（ステップ１１０）。すなわち、次の端末ＩＤで特定される携帯電話機と通信リンクを確立し、その携帯電話機に登録されている予約曲目リストから演奏履歴簿に記載のない楽曲を取り出し演奏する。このようにして全端末ＩＤについて順番に公平に選曲の機会を与え、各携帯端末がもっている予約曲目リストから演奏履歴簿にない楽曲を選曲して演奏を行うことになる。
【００２７】
演奏履歴簿の更新について、たとえばある楽曲Ａが演奏されて履歴簿に記録された後に履歴簿に登録された曲が１０曲に達すると楽曲Ａを履歴簿から削除する。こうすると常に最新の１０曲ずつが履歴簿に残る。この更新のタイミングを時間で設定してもよい。たとえばある曲の演奏終了後に履歴簿に残しておく時間を３０分と設定する。こうすると、ある人が歌った曲は３０分間は誰も歌えないが、３０分をすぎると歌うことも可能になる。
【００２８】
なお当然のことながら、カラオケを始める際などに所定の操作で演奏履歴簿をすべてクリアすることができるようになっている。
【００２９】
＝＝＝その他＝＝＝
演奏履歴簿について、メンバー全員の予約曲目リストをなめ終わったら自動的にクリアするようにしておくと便利である。たとえば、趣向の似た人同士でカラオケに行った場合には各自の予約曲目リストに記載された楽曲が重複する場合が多いので、早々と参加者全員の予約曲目リストをなめてしまう。上記の例のように更新タイミングが３０分であった場合に、３０分経たずに全員の予約曲目リストをなめ終わってしまったら、誰も歌えないことになる。しかし演奏履歴簿がクリアされれば、それ以前の演奏履歴にかかわらずに歌えるようになる。
【００３０】
予約曲目リストについては、各自が複数の曲目リストを持てるようにしておいて適宜に選べるようにしてもよい。ジャンルの違う曲目リストやいろいろな気分に対応した曲目リスト等を作っておき、一緒にカラオケに行くメンバーやその日の気分によって異なった曲目リストを開示するようにできると便利である。
【００３１】
また、パーソナル携帯情報端末を持参しなかった参加者のために、カラオケ装置に予約曲目リストを作れるようにしておけば便利である。他のパーソナル携帯情報端末と同じようにカラオケ装置にも選曲の機会が回るようにすれば、携帯端末を持っていなくても他の参加者と一緒にカラオケを楽しむことができる。
【００３２】
目次本については、カラオケ装置や携帯電話機から接続されるＷｅｂサーバーなどにより提供される電子目次本ツールを利用できるようにしておくことも可能である。この際に課金処理をするようにしておくと便利である。
【００３３】
【発明の効果】
この発明にかかるカラオケ選曲システムによれば、カラオケに参加するすべての人に公平に歌う機会が回ってくる。また他の人と曲が重なることもないため、歌唱者本人のみならず他の参加者も退屈せずに済む。また、参加者はあらかじめ歌いたい曲を自分のパーソナル携帯情報端末に登録しておくことができるので、カラオケ店では予約操作に振り回されることなく他の人の歌唱を聴くなどカラオケを十分に楽しむことができる。一度登録した予約曲目リストはそのまま記憶しておくことができるので、自分の十八番を登録しておくことができ便利である。その結果、思い立ったらすぐにカラオケに行くことができ、カラオケを気軽に利用する人が増加する効果も期待できる。
【図面の簡単な説明】
【図１】この発明の一実施例にかかるカラオケ装置の構成例を示す図である。
【図２】この発明の一実施例にかかるカラオケ選曲システムで実行される選曲プロセスの制御手順を示すのフローチャートである。
【図３】この発明の一実施例にかかる演奏履歴簿、予約曲目リストの内容を楽曲名・歌手名で例示したものである。
【符号の説明】
１  中央制御部
２  ハードディスク装置
３  操作制御部
４  シンセサイザ
５  マイクロホン
６  ミキシングアンプ
７  スピーカ
８  ディスプレイ
９  映像制御部
１０  ブルートゥース・インタフェース
１１  送受信アンテナ
【図１】
0003573423.tif 000002
【図２】
0003573423.tif 000003
【図３】
0003573423.tif 000004